(57)【要約】      （修正有）【課題】大量の海水の循環活用となる為に海水温の上昇等に充分に配慮する事とする。【解決手段】海上海中発電船内に二段階の上下水槽を設置する事に依り大容量海中空間の確保とより多くの「高圧海水噴出機」のより多くの設置が可能となり、強烈な回転稼動力発電の創出を狙ったものであり、この回転扇発電装置の利点としてはまず従来の発電方法である横置蒸気タービンであればまず重量感のある回転稼動力の創出を行なう事等はまず不可能であるが本発電設備装置方法であれば新発見となる重量物回転扇の高速回転扇の出現となり、正に夢の大容量海中発電が出現する事となる。本海中船の近くに別途海中プール等を設置し、海水の冷却、洗浄等をしっかりと行なう事とする。【選択図】図１
2015178828.tif 000002
【特許請求の範囲】
【請求項１】
海中に設置された海中発電船内の水槽内に二段階の水槽を設置し、その各水槽内には各々回転扇を設置し、その間中部分に「海水侵入抑止筒」の活用設置に依り、この二段水槽は完全に分割設置の現出となる。
この上下各水槽内に〔図１〕の通り各々回転扇を設置をし、下方設置「第二下部回転扇」部分には「回転分銅」の設置と「海中空間」双方を設置し、より強力な回転稼動力の出現を目指す事に依り、「発電船内第１甲板」上に設置された「第１主力回転ギア」の回転発電が行なわれる事となる。
又、その回転継続源動力となる各十数箇所設置の噴出「高圧海水噴出機」の噴出海水の吸入口設置場所は各々喫水線上より下方水中部分からの吸引噴出稼動とする為に想像を超えた大幅に軽快で強烈な高圧水の噴出稼動となり、当然この吸引噴出が繰り返される事となりその排水は各水槽内を循環するだけとなり、継続された安定した発電稼動が出現する事となる。
そして「中部回転扇安定稼動回転渦流調整室」の設置に依り、短時間での大量の噴出安定空気、噴出海水又吸排海水等が行なわれる事に依り、大幅な「中部貯留水槽」の安定と同時に「上部貯留水槽」を含む海中貯留水槽全体の安定した低気圧対策、潮海流大波対策等々が常時万全な態勢が海中に出現する「二段階回転扇海中設置活用に依る大容量回転扇発電構想」
【発明の詳細な説明】
【技術分野】
【０００１】  海上海中部分に設置された海中発電船内に於いて、〔図１〕の通り二段階の海中空間を設置をし、その各々海中空間の強烈な浮力活用を行ない各々各層での強力な回転発電稼動を行なう発電設備である。【０００２】  本二段階海中空間設置活用の発見に依り各潮流、各低気圧対応等が大きく前進すると同時に「海中安定第三海中空間」の設置活用は迅速な諸事案への対応が可能となる大切な海中空間となる。【０００３】〔図１〕にて説明する。【０００４】  海中海上発電船内に〔図１〕の通り大きく二層の貯留水槽の設置を行なう事とし、まず「上部貯留水槽」内の「第１上部回転扇」部分は完全に「上部貯留水槽内喫水線」上に設置を行ない、この「第１上部回転扇」部分に「高圧海水噴出機」の噴出稼動を行ない、この「回転扇」部分に「高圧海水噴出機」の噴出稼動を行ない、この時の噴出稼動は海水の噴出還流のみとなる。
そして「中部貯留水槽」内の「第二下部回転扇」の下部部分には「回転分銅」が設置され、上部回転扇と同様に「高圧海水噴出機」よりの高圧噴出流と「回転分銅」双方の働きと同時に「第一上部回転扇」の連携回転稼動の出現となり、強力な回転力が「第１主力回転ギア」の回転稼動となり、継続された発電の出現となる。
当然「第一上部回転扇」は気象状況等に応じ「上部貯留水槽内喫水線」海水面上部分に接水される事とする。
そして「海上侵入抑止筒」の設置に依り、確実な「上部貯留水槽」と「中部貯留水槽」の分離が行なわれ同時に「海上海中空間」部分と「中部海中空間」部分は安定空間として継がっている為に両空間内では常時「大気圧圏内１気圧」空間が保持される事となる。
又「中部回転扇安定稼動回転渦流調整室」の設置目的は常時安定した排出海水、排出空気の安定供給を行なう為に設置したものであり、強力な低気圧対策、各種潮流対策等に必要な設備となるものである。【０００５】関連特許
【特許文献】４件  特許第４９９３０２７号  平成２４年５月１８日認定登録日  「回転扇発電に於ける大容量発電と大量排海水処理の全体構想」  申請者  島  晴勇  特許第４９７４０１７号  平成２４年４月２０日認定登録日  「扇形浮力船回転式ドラム缶水流発電機」  申請者  島  晴勇  特許第５０３０００７号  平成２４年７月６日認定登録日  「海水圧高圧噴出発電装置」  申請者  島  晴勇  特許第５４０８５７５号  平成２５年１１月１５日認定登録日  『海中空間部分への「海中浮力回転容器」の設置  申請者  島  晴勇
【発明の概要】
【発明が解決しようとする課題】  より強力で安全な回転扇発電の発見を思考中に偶然に思いついたものであり、地上でのビル内の１Ｆと２Ｆを設置想像すれば良く、但し大量の回転浮力に必要な大量の海水は海中でないと不可能となる。
海中発電が成功するかどうかは完全な安全性と大量の海水に依る厖大な発電量が可能かどうかであり、本二段回転扇設置の発見に依り、最大の懸案事項である安全な大容量発電が近い将来必ず出現する事となる。
【課題を解決するための手段】  大容量発電の為の二段回転扇の設置方法であるが〔図１〕の通り「上部貯留水槽」と「中部貯留水槽」部分を継ぐ大切な「海水侵入抑止筒」の設置に於いては上下回転扇のより安定した回転に大きく貢献する事は自明の理であり、「回転分銅」「海中空間」双方の安定稼動に依る強力な「第一主力回転ギア」稼動にも大きく貢献する事となる大切な「海水侵入抑止筒」の設置活用となる。
【発明の効果】  従来の高温高圧蒸気発電エネルギーの半分近くは大気中に放出がされて地球温暖化に大きく貢献しているが、同時に高温蒸気の瞬発力のみに依る高速回転発電の為に厖大な高熱高温蒸気の常時発生が必要となる。
本二段回転扇発電の狙いは天然資源の水中での空気浮力の活用と海水の循環のみで発電稼動を行なう為に最初の設備は大変であるが、回転稼動が始まれば、海中での「回転扇」の回転力のみで大容量発電の現出となる。
まず蒸気タービンは殆んど横置き設置の為に僅か数百ｋｇ〜数千ｋｇの回転軸の高速回転となるが、本海中発電での回転扇自体の高速回転等は全く不必要な為に、必要最小限の回転速度の確保を目指す事となり、その回転扇の重量は数ｔ〜数十ｔの重量となる。
そしてその狙いは重量物体に依る連続した低速回転稼動力の維持が可能であれば正に蒸気機関車がレール上を段々と加速して行くと、次第にその物体の重量加重の現出となり次第に猛烈な加速速度となる事は自然の道理であり、正に本回転扇も同様な高速回転稼動となり当然双方共大気圧圏内１気圧空間となる事は誰でも理解される事となる。
然らば、この高速回転扇の現出に必要なエネルギーは「高圧海水噴出機」のみであり、且つこの噴出海水は全て水面喫水線下の水中部分よりの吸引噴出の為に、従来の水面上設置等よりの吸引噴出等よりは噴出負荷は全く違った事となり噴出負荷は大きく減少する事となる。
そしてこの回転扇周囲に設置された数十基の「高圧海水噴出機」が噴出稼動を行なえば本回転扇が段々と回転稼動を始めそして暫くすると回転分銅、海中空間双方の自然活用を行ない乍ら、高速回転域に達する事となり、この重量感のある回転稼動力の活用に依る「発電船内第一甲板」上の「第一主力回転ギア」の回転稼動に依る各連結回転ギアの稼動活用を行なえば必ず厖大な大容量発電が出現する事は充分に理解される事となる。
【図１】
2015178828.tif 000003
【手続補正書】
【提出日】平成26年5月26日(2014.5.26)
【手続補正１】
【補正対象書類名】明細書
【補正対象項目名】全文
【補正方法】変更
【補正の内容】
【発明の詳細な説明】
【技術分野】
【０００１】  海上海中部分に設置された海中発電船内に於いて、〔図１〕の通り三段階の海中空間を設置をし、その各々海中空間の強烈な浮力活用を行ない各々各層での強力な回転発電稼動を行なう発電設備である。【０００２】  本二段階海中空間設置活用の発見に依り各潮流、各低気圧対応等が大きく前進すると同時に「海中安定第三海中空間」の設置活用は迅速な諸事案への対応が可能となる大切な海中空間となる。【０００３】〔図１〕にて説明する。【０００４】  海中海上発電船内に〔図１〕の通り大きく二層の貯留水槽の設置を行なう事とし、まず「上部貯留水槽」内の「第１上部回転扇」部分は完全に「上部貯留水槽内喫水線」上に設置を行ない、この「第１上部回転扇」部分に「高圧海水噴出機」の噴出稼動を行ない、同時に下段「第二下部回転扇」部分にも「高圧海水噴出機」の噴出稼動を行ない、この時の噴出稼動は海水の噴出環流のみとなる。
2015178828.tif 000004
「中部貯留水槽」内の「第二下部回転扇」の下部部分には「回転分銅」が設置され、上部回転扇と同様に「高圧海水噴出機」よりの高圧噴出流と「回転分銅」双方の働きを同時に「第一上部回転扇」の連携回転稼動の出現となり、強力な集合回転力が「第１主力回転ギアの回転稼動となり、継続された発電の出現となる。
当然「第一上部回転扇」は気象状況等に応じ「上部貯留水槽内喫水線」海水面上部分に調整接水される事とする。
そして「海水侵入抑止筒」の設置に依り、確実な「上部貯留水槽」と「中部貯留水槽」の分離が行なわれ同時に「海上海中空間」部分と「中部海中空間」部分は安定空間として継がっている為に両空間内では常時「大気圧圏内１気圧」空間が保持される事となる。
そして上下各々貯留水槽内の水圧は各々水深が浅い為に無いに等しい状態での安定回転稼動の為に軽快な高速回転稼動の出現が深海海中部分に出現し、より安定稼動の為に「外海海水侵入排水調整装置」と「中部回転扇安定稼動回転渦流調整室」内の「噴出海水噴出空気調整吸排出装置」双方の活用に依る上下各貯留水槽内の海水量の安定調整等が行なわれ常時安定した発電稼動が出現する事となる。【０００５】関連特許
【特許文献】  ６件  特許第４９９３０２７号  平成２４年５月１８日  登録日  「回転扇発電に於ける大容量発電と大量排海水処理の全体構想」  申請者  島  晴勇  特許第４９７４０１７号  平成２４年４月２０日  登録日  「扇形浮力船回転式ドラム缶水流発電機」  申請者  島  晴勇  特許第５０３０００７号  平成２４年７月６日  「海水圧高圧噴出発電装置」  申請者  島  晴勇  特許第５４０８５７５号  平成２５年１１月１５日  海中空間部分への「海中浮力回転容器」の設置  申請者  島  晴勇  特許第５４６４５０５号  平成２６年１月３１日  「深海部分での大容量排海水の船外排出装置  申請者  島  晴勇  特許第  号  平成２６年５月２０日認定日  海上部分設置各種回転扇発電と海中発電船内海中空間部分内えの大量自然排海水処理と海中安定設置確保方法  申請者  島  晴勇
【発明の概要】
【発明が解決しようとする課題】  より強力で安全な回転扇発電の発見を思考中に偶然に思いついたものであり、海上海中でなくても小規模な発電であれば地上ビル内設置でも浮力の活用に依る回転扇発電は可能な為に本回転扇浮力併用活用発電が大きく前進する事となる。
又海中発電が成功するかどうかは完全な安全性と大量の活用海水に依る厖大な発電量が可能かどうかであり、本二段回転扇設置の発見に依り、最大の懸案事項である安全な大容量発電が近い将来必ず出現する事となる。
【課題を解決するための手段】  大容量発電の為の二段回転扇の設置方法である「上部貯留水槽」と「中部貯留水槽」部分を継ぐ大切な「海水侵入抑止筒」の設置に於いては上下回転扇のより安定した回転に大きく貢献する事は自明の理であり「回転分銅」「海中空間」双方の安定稼動に依る強力な「第一主力回転ギア」稼動にも大きく貢献する事となる大切な「海水侵入抑止筒」の設置活用となる。
【発明の効果】  従来の高温高圧蒸気発電エネルギーの半分近くは大気中に放出がされて地球温暖化に大きく貢献しているが、同時に高温蒸気の瞬発力のみに依る高速回転発電の為に厖大な高熱高温蒸気の常時発生が必要となる。
本二段回転扇発電の狙いは天然資源の水中での空気浮力の活用と海水の循環のみで発電稼動を行なう為に最初の設備は大変であるが、回転稼動が始まれば、海中での「回転扇」の回転力のみで大容量発電の現出となる。
まず蒸気タービンは殆んど横置き設置の為に僅か数百ｋｇ〜数千ｋｇの回転軸の高速回転となるが、本海中発電での回転扇自体の高速回転等は全く不必要な為に、必要最小限の回転速度の確保を目指す事となり、その回転扇の重量は数十〜数百ｔの重量となる。
そしてその狙いは重量物体に依る連続した低速回転稼動力の維持が可能であれば正に蒸気機関車がレール上を段々と加速して行くと、次第にその物体の重量加重の現出となり次第に猛烈な加速速度となる事は自然の道理であり、正に本回転扇も同様な高速回転稼動となり当然双方共大気圧圏内１気圧空間となる事は誰でも理解される事となる。
然らば、この高速回転扇の現出に必要なエネルギーは「高圧海水噴出機」のみであり、且つこの噴出海水は全て水面喫水線下の水中部分よりの吸引噴出の為に、従来の水面上設置等よりの吸引噴出等よりは噴出負荷は全く違った事となり大きく減少する事となる。
そしてこの回転扇周囲に設置された数十基の「高圧海水噴出機」が噴出稼動を行なえば本回転扇が段々と回転稼動を始めそして暫くすると回転分銅、海中空間双方の自然活用を行ない乍ら、高速回転域に達する事となり、この重量感のある回転稼動力の活用に依る「発電船内第一甲板」上の「第一主力回転ギアの回転稼動に依る各連結回転ギアの稼動活用を行なえば必ず厖大な大容量発電が出現する事は充分に理解される事となる。
【図面の簡単な説明】
【図１】海上海中船周囲部分に「浮力創出海中空間設置外周槽」を設置し、本外周槽は完全な海底固定が行なわれる事に依り、正に海上海中部分に巨大な海中プールの出現となり、この海中巨大プール内に「上部貯留水槽」と「中部貯留水槽」の二段水槽の設置が行なわれ、この各上下水槽を繋ぐ為に「海水侵入抑止筒」を設置し、上下各々貯留水槽内に於いては本「海水侵入抑止筒」の活用に依り常時「大気圧圏内１気圧」の空間保持となる。又、上部中部各々貯留水槽内の海水量は各階設置の「外海海水侵入排水調整装置」に依り調整される事とする。そして各種厳しい外海気象現象にも確実な対応を行なう為に「中部回転扇安定稼動回転渦流調整室」を設置をし、短時間での空気容量、海水の各々吸引排出調整が行なえる事とし、短時間での外海自然環境の気圧、潮海流等の急激な変化にも充分に対応可能とする事とする。
【発明を実施するための形態】
〔図１〕安定した二段階設置回転扇の上下設置に必要な「海中浮力強化空間」の設置活用と「海水侵入抑止筒」双方の発見設置に依り、双方の「第一上部回転扇」「第二下部回転扇」の強力な発電回転稼動力の現出となり、より安定稼動の実現の為に「接続回転軸緩衝装置」の設置活用に依る上下各々回転扇の回転稼動安定の現出と「上部貯留水槽」「中部貯留水槽」双方の常時安定した各々貯留水槽内喫水線の確保が「外海海水侵入排水調整装置」「中部回転扇安定稼動回転渦流調整室」各々装置設備の設置活用に依り強力な低気圧発生時、潮流変化時等々の諸々の異状事能発生時にも瞬時の海水の注入排出、空気圧の調整等が行なわれ、四六時中安定した発電稼動が行なわれる事となる。
そして大切な発見となる「第一上部回転扇」「第二下部回転扇」双方に於いては水深のある海中に於いても当然大気圧圏内１気圧内での自然の摂理である双方の強力な浮力活用に依る重量物回転慣性力の持続確保に依る軽快な高速回転稼動となり想像を超えた厖大な大容量海中発電が出現する事となる。
将来は「海水侵入抑止筒」の改良活用に依る三層の貯留水槽の設置活用を行なえばより厖大な発電容量の出現となり、いよいよ回転扇発電の活用がいかに大切であるかを実感する事となる。
【手続補正２】
【補正対象書類名】図面
【補正対象項目名】全図
【補正方法】変更
【補正の内容】
【図１】
2015178828.tif 000005
【手続補正３】
【補正対象書類名】特許請求の範囲
【補正対象項目名】全文
【補正方法】変更
【補正の内容】
【特許請求の範囲】
【請求項１】
海上海中部分に固定設置された「浮力創出海中空間設置外周槽」内に設置がされた「海中発電船」内の水槽内に上下二段階の水槽を設置し、その各々上下水槽内には各々回転扇を設置し、その上下各水槽内の間中部分に完全固定がされた「海水侵入抑止筒」の活用設置を行ない、完全な二段水槽の設置現出を行い、確実な浮力確保の為に「上部貯留水槽」内設置の「第一上部回転扇」内の「海中浮力強化空間」の確保に依る安定した「第一上部回転扇」の回転稼動の確保と「海上海中空間」内大気圧圏内１気圧空間の安定保持が行なわれる事とする。
次に「海水侵入抑止筒」設置活用に依る下方「中部海中空間」内にも同様に「中部貯留水槽」を設置をし、その水槽内に「第二下部回転扇」の設置を行ない、この設置に於いてはお椀型回転扇設置を行ない、強力な浮力の確保と同時に「回転分銅」の設置に依る回転稼動力の強化と回転重心力の強化を目指し、そしてこの「第二下部回転扇」の発見は最大の懸案事項である中心回転軸の振れ等の大幅解消となる想像を超えた強力な安定稼動の現出となる。
そしてこの「第二下部回転扇」の回転稼動力は「接続回転軸緩衝装置」の活用に依り「第一主力回転ギア」への回転稼動となり、又この「中部海中空間」内部分も常時「大気圧圏内１気圧」空間とする為に「中部回転扇安定稼動回転渦流調整室」の設置を行ない「噴出海水、噴出空気調整吸排出装置」活用に依る瞬時の大量排出空気、海水の入排出調整を行ない、同時に上部、中部各々「外海海水侵入排水調整装置」活用に依る安定した上下各々喫水線の確保が行なわれ、常時安定した上下回転扇の回転稼動発電力が「接続回転軸緩衝装置」に依り強力な発電稼動力の相乗効果となって「第一主力回転ギア」の発電稼動が行なわれ「二段回転扇海中設置活用に依る大容量回転扇発電構想」